(57)【特許請求の範囲】
【請求項１】
上方に開口する容器本体の開口部の対向する辺にそれぞれ、先端に重ね用突片と重ね用凹所を有する蓋半体であって、重ね用突片を蓋半体の他の部分よりも薄く形成した蓋半体を回動自在に取付けて両蓋半体で開口部を閉じ、且つ、両蓋半体で開口部を閉じた状態で、一方の蓋半体の重ね用突片を他方の蓋半体の重ね用凹所に重ねると共に他方の蓋半体の重ね用突片を一方の蓋半体の重ね用凹所に重ねるようにした運搬用容器において、
容器本体の開口部を両蓋半体で閉じた状態で、両蓋半体の上面部の先端部に両蓋半体にわたって連続する送り状貼り用の凹部を形成し、
送り状貼り用の凹部が上面部に形成された重ね用突片の裏面に、リブ及びこのリブよりも突出長さの長い突条部を突設し、重ね用凹所に上下に貫通する嵌め込み孔を形成し、重ね用突片を重ね用凹所に嵌め込んだ状態で突条部を嵌め込み孔に嵌め込んで成ることを特徴とする運搬用容器。
【請求項２】
上方に開口する容器本体の開口部の対向する辺にそれぞれ、先端に重ね用突片と重ね用凹所を有する蓋半体であって、重ね用突片を蓋半体の他の部分よりも薄く形成した蓋半体を回動自在に取付けて両蓋半体で開口部を閉じ、且つ、両蓋半体で開口部を閉じた状態で、一方の蓋半体の重ね用突片を他方の蓋半体の重ね用凹所に重ねると共に他方の蓋半体の重ね用突片を一方の蓋半体の重ね用凹所に重ねるようにした運搬用容器において、
容器本体の開口部を両蓋半体で閉じた状態で、両蓋半体の上面部の先端部に両蓋半体にわたって連続する送り状貼り用の凹部を形成し、
送り状貼り用の凹部が上面部に形成された重ね用突片の裏面に突条部を突設し、重ね用凹所に上下に貫通する嵌め込み孔を形成し、重ね用突片を重ね用凹所に嵌め込んだ状態で突条部を嵌め込み孔に嵌め込むことで、突条部の先端を重ね用凹所の厚み内に収めて成ることを特徴とする運搬用容器。
【請求項３】
重ね用突片の周縁と重ね用凹所の周縁とが合さることでできる非直線状の継ぎ目の一部が送り状貼り用の凹部の底を横切っていることを特徴とする請求項１または２に記載の運搬用容器。
【発明の詳細な説明】
【技術分野】
【０００１】
本発明は、蓋付きの運搬用容器に関するものである。
【背景技術】
【０００２】
従来から、上方に開口する容器本体の開口部の対向する辺にそれぞれ蓋半体を回動自在に取付けて両蓋半体で開口部を閉じるようにした運搬用容器において、蓋半体の上面部の中央部を周囲よりも凹ませてラベル貼り用の凹部を形成するものが特許文献１や特許文献２により知られている。
【０００３】
しかしながら、この特許文献１や特許文献２においては、両蓋半体で構成される蓋の中央部にラベル貼り用の凹部がなくて、蓋半体の上面部の中央部を周囲よりも凹ませてラベル貼り用の凹部を形成したものであるため、ラベル貼り用の凹部の横巾が狭という制約があり、巾の狭いラベルしか貼ることができないという問題があり、また、蓋半体に単独でラベルが貼られるために視認し難いという問題があった。また、従来にあっては、蓋半体が不用意に開けられて中身が盗まれたり、異物が混入されるのを回避できなかった。
【０００４】
また、ダンボール箱において、開口部の対向縁に連出した一対の蓋片で開口部を閉じ、一対の蓋片の直線となった先端同士を近接させた状態で両蓋片の先端間の直線状の継ぎ目を跨いで封印用シールを貼ることで、封印用シールが破れると蓋片が開いたことが分かるようにすることも行われている。ところが、このものにあっては、直線状の継ぎ目の略中間部分を跨いで両蓋片の先端部上面にわたって封印用シールを貼るに当り、蓋片の先端部の上面の一部に封印用シールを上方から押し付けるので、ダンボール製の蓋片の先端部の中間部分が撓み、封印用シールを綺麗に貼ることができないという問題がある。しかも、この従来例にあっては、封印用シールは一対の蓋片の直線となった先端同士の継ぎ目が直線であるため、両側片に継ぎ目が広がる方向の力が作用すると、直線状の継ぎ目を封印用シールが跨いでいるため、封印用シールが上記直線状の継ぎ目部分を境にして両側に破れ易いという問題があり、封印用シールが故意に破られたのか、あるいは、両側片に継ぎ目が広がる方向の力が作用することで、直線状の継ぎ目部分を境にして破れたのかが分からなくなり、改ざん防止効果が十分ではない。
【０００５】
また、この従来例にあっては、封印用シールの貼る位置が明確でなく、また、封印用シールがダンボール製の蓋片の上面よりも上に出るため、ダンボール箱を重ねて上のダンボール箱を下のダンボール箱の上面上を滑らせた場合、封印用シールが上のダンボール箱により捲れて剥れるおそれがある。
【特許文献１】特開平１０−３２４３５４号公報
【特許文献２】特開２０００−２９６８５２号公報
【発明の開示】
【発明が解決しようとする課題】
【０００６】
本発明は上記の従来の問題点に鑑みて発明したものであって、両蓋半体の上面にわたって正確な位置に簡単に送り状を貼ることができると共に段積みしても上の運搬用容器の底面で剥がれることがなく、また、内容物を盗難や異物の混入を避けることができ、更に、送り状貼り用の凹部の巾を広く取って巾の広い送り状であっても貼ることが可能となり、また、両蓋半体に先端間の継ぎ目が広がる方向の力が作用しても両蓋半体の上面にわたって貼った送り状が破れ難い運搬用容器を提供することを課題とするものである。
【課題を解決するための手段】
【０００７】
上記課題を解決するために本発明に係る運搬用容器は、上方に開口する容器本体１の開口部２の対向する辺にそれぞれ、先端に重ね用突片３と重ね用凹所４を有する蓋半体５であって重ね用突片３を蓋半体５の他の部分よりも薄く形成した蓋半体５を回動自在に取付けて両蓋半体５で開口部２を閉じ、且つ、両蓋半体５で開口部２を閉じた状態で、一方の蓋半体５の重ね用突片３を他方の蓋半体５の重ね用凹所に重ねると共に他方の蓋半体５の重ね用突片３を一方の蓋半体５の重ね用凹所４に重ねるようにした運搬用容器６において、容器本体１の開口部２を両蓋半体５で閉じた状態で、両蓋半体５の上面部の先端部に両蓋半体５にわたって連続する送り状貼り用の凹部７を形成し、送り状貼り用の凹部７が上面部に形成された重ね用突片３の裏面に、リブ１１及びこのリブ１１よりも突出長さの長い突条部９を突設し、重ね用凹所４に上下に貫通する嵌め込み孔１０を形成し、重ね用突片３を重ね用凹所４に嵌め込んだ状態で突条部９を嵌め込み孔１０に嵌め込んで成ることを特徴とするものである。
【０００８】
このような構成とすることで、両蓋半体５を閉じた状態で、両蓋半体５の上面部の先端部に両蓋半体５にわたって連続して形成される送り状貼り用の凹部７に送り状１２を貼ることで、送り状１２を両蓋半体５よりなる蓋１３の中央部に両蓋半体５の先端間の継ぎ目８を跨いで位置決めした状態で貼ることができ、内容物の盗難防止や異物の混入防止を図ることができる。しかも、一方の蓋半体５の重ね用突片３を他方の蓋半体５の重ね用凹所に重ねると共に他方の蓋半体５の重ね用突片３を一方の蓋半体５の重ね用凹所４に重ねているので、上記のように両蓋半体５の先端部に継ぎ目８を跨いで送り状１２を貼るに当って、蓋半体５の先端が下方に撓んで変形し難く、簡単且つ正確に送り状１２を貼ることができる。また、両蓋半体５の上面部の先端部に両蓋半体５にわたって連続するように形成した送り状貼り用の凹部７に送り状１２を貼ることができるので、送り状１２が蓋１３の中央部に貼られることになって視認し易く、しかも、運搬用容器６を多段積みしても上段の運搬用容器６の下面で下段の運搬用容器６の蓋１３に貼った送り状１２が剥がれることがない。また、両蓋半体５の上面部の先端部に両蓋半体５にわたって連続するように送り状貼り用の凹部７を形成するので、送り状貼り用の凹部７の横巾を広く取ることが可能で、巾の広い送り状１２であっても貼ることができる。また、このように、重ね用突片３の補強をするための突条部９を用いて嵌め込み孔１０と嵌合するように構成することで、重ね用突片３と重ね用凹所４との重ね合わせの位置決めが正確にでき、両蓋半体５を閉じた状態を正確に保持でき、また、重ね用突片３の補強をするための突条部９を設けたと言えども、重ね用凹所４に上下に貫通する嵌め込み孔１０に突条部９を嵌め込むことができ、これにより重ね用凹所４を蓋半体５の下面側に突出させなくても（つまり蓋半体５の厚みを厚くしなくても）、重ね用突片３の厚み確保しながら両蓋半体５の上面部の先端部に送り状貼り用の凹部７を形成することが可能となる。
【０００９】
また、上記課題を解決するために本発明に係る運搬用容器は、上方に開口する容器本体１の開口部２の対向する辺にそれぞれ、先端に重ね用突片３と重ね用凹所４を有する蓋半体５であって重ね用突片３を蓋半体５の他の部分よりも薄く形成した蓋半体５を回動自在に取付けて両蓋半体５で開口部２を閉じ、且つ、両蓋半体５で開口部２を閉じた状態で、一方の蓋半体５の重ね用突片３を他方の蓋半体５の重ね用凹所に重ねると共に他方の蓋半体５の重ね用突片３を一方の蓋半体５の重ね用凹所４に重ねるようにした運搬用容器６において、容器本体１の開口部２を両蓋半体５で閉じた状態で、両蓋半体５の上面部の先端部に両蓋半体５にわたって連続する送り状貼り用の凹部７を形成し、送り状貼り用の凹部７が上面部に形成された重ね用突片３の裏面に、突条部９を突設し、重ね用凹所４に上下に貫通する嵌め込み孔１０を形成し、重ね用突片３を重ね用凹所４に嵌め込んだ状態で突条部９を嵌め込み孔１０に嵌め込むことで、突条部９の先端を重ね用凹所４の厚み内に収めて成ることを特徴とするものである。
このような構成とすることで、両蓋半体５を閉じた状態で、両蓋半体５の上面部の先端部に両蓋半体５にわたって連続して形成される送り状貼り用の凹部７に送り状１２を貼ることで、送り状１２を両蓋半体５よりなる蓋１３の中央部に両蓋半体５の先端間の継ぎ目８を跨いで位置決めした状態で貼ることができ、内容物の盗難防止や異物の混入防止を図ることができる。しかも、一方の蓋半体５の重ね用突片３を他方の蓋半体５の重ね用凹所に重ねると共に他方の蓋半体５の重ね用突片３を一方の蓋半体５の重ね用凹所４に重ねているので、上記のように両蓋半体５の先端部に継ぎ目８を跨いで送り状１２を貼るに当って、蓋半体５の先端が下方に撓んで変形し難く、簡単且つ正確に送り状１２を貼ることができる。また、両蓋半体５の上面部の先端部に両蓋半体５にわたって連続するように形成した送り状貼り用の凹部７に送り状１２を貼ることができるので、送り状１２が蓋１３の中央部に貼られることになって視認し易く、しかも、運搬用容器６を多段積みしても上段の運搬用容器６の下面で下段の運搬用容器６の蓋１３に貼った送り状１２が剥がれることがない。また、両蓋半体５の上面部の先端部に両蓋半体５にわたって連続するように送り状貼り用の凹部７を形成するので、送り状貼り用の凹部７の横巾を広く取ることが可能で、巾の広い送り状１２であっても貼ることができる。また、このように、重ね用突片３の補強をするための突条部９を用いて嵌め込み孔１０と嵌合するように構成することで、重ね用突片３と重ね用凹所４との重ね合わせの位置決めが正確にでき、両蓋半体５を閉じた状態を正確に保持でき、また、重ね用突片３の補強をするための突条部９を設けたと言えども、重ね用凹所４に上下に貫通する嵌め込み孔１０に突条部９を嵌め込むので、突条部９の突出分を重ね用凹所４の厚み内で吸収でき、これにより重ね用凹所４及び突条部９を蓋半体５の下面側に突出させなくても（つまり蓋半体５の厚みを厚くしなくても）、重ね用突片３の厚み確保しながら両蓋半体５の上面部の先端部に送り状貼り用の凹部７を形成することが可能となる。
また、重ね用突片３の周縁と重ね用凹所４の周縁とが合さることでできる非直線状の継ぎ目８の一部が送り状貼り用の凹部７の底を横切っていることが好ましい。
【００１０】
このような構成とすることで、両蓋半体５に互いに離れる方向の力が作用しても、継ぎ目が非直線状であるため、送り状１２の下面の上記継ぎ目８と対向する部分が非直線状となり、この結果、両蓋半体５に互いに離れる方向の力が作用しても送り状１２の継ぎ目８と対向した部分で送り状１２が破れ難くなる。
【発明の効果】
【００１３】
本発明の請求項１記載の発明は、上記のように構成したので、両蓋半体の上面部の先端部に両蓋半体にわたって連続して形成した送り状貼り用の凹部に送り状を貼ることができ、段積みしても送り状が上の運搬用容器の底面で剥がれることがなく、また、内容物を盗難や異物の混入を避けることができ、更に、送り状貼り用の凹部の巾を広く取って巾の広い送り状であっても貼ることが可能となり、また、蓋の中央部に送り状を貼ることができるので、視認しやすくなる。しかも、一方の蓋半体の重ね用突片を他方の蓋半体の重ね用凹所に重ねると共に他方の蓋半体の重ね用突片を一方の蓋半体の重ね用凹所に重ねるので、送り状貼り用の凹部に送り状を貼る際に蓋半体の先端部に上から力が作用しても下方に撓んで変形しにくく送り状貼り用の凹部に位置決めした状態で簡単に貼ることができる。また、重ね用突片の裏面に突条部を突設し、重ね用凹所に上下に貫通する嵌め込み孔を形成し、重ね用突片を重ね用凹所に嵌め込んだ状態で突条部を嵌め込み孔に嵌め込んであるので、重ね用突片の補強をする部材を用いて重ね用突片と重ね用凹所との重ね合わせの位置決めが正確にでき、また、重ね用凹所を蓋半体の下面側に突出させなくても、重ね用突片の厚み確保しながら両蓋半体の上面部の先端部に送り状貼り用の凹部を形成することが可能となる。
【００１４】
また、本発明の請求項２記載の発明は、上記のように構成したので、両蓋半体の上面部の先端部に両蓋半体にわたって連続して形成した送り状貼り用の凹部に送り状を貼ることができ、段積みしても送り状が上の運搬用容器の底面で剥がれることがなく、また、内容物を盗難や異物の混入を避けることができ、更に、送り状貼り用の凹部の巾を広く取って巾の広い送り状であっても貼ることが可能となり、また、蓋の中央部に送り状を貼ることができるので、視認しやすくなる。しかも、一方の蓋半体の重ね用突片を他方の蓋半体の重ね用凹所に重ねると共に他方の蓋半体の重ね用突片を一方の蓋半体の重ね用凹所に重ねるので、送り状貼り用の凹部に送り状を貼る際に蓋半体の先端部に上から力が作用しても下方に撓んで変形しにくく送り状貼り用の凹部に位置決めした状態で簡単に貼ることができる。また、重ね用突片の裏面に突条部を突設し、重ね用凹所に上下に貫通する嵌め込み孔を形成し、重ね用突片を重ね用凹所に嵌め込んだ状態で突条部を嵌め込み孔に嵌め込んであるので、重ね用突片の補強をする部材を用いて重ね用突片と重ね用凹所との重ね合わせの位置決めが正確にでき、また、重ね用凹所及び突条部を蓋半体の下面側に突出させなくても、重ね用突片の厚み確保しながら両蓋半体の上面部の先端部に送り状貼り用の凹部を形成することが可能となる。
また、請求項３記載の発明にあっては、上記請求項１または２記載の効果に加えて、重ね用突片の周縁と重ね用凹所の周縁とが合さることでできる非直線状の継ぎ目の一部が送り状貼り用の凹部の底を横切っているので、両蓋半体に互いに離れる方向の力が作用しても非直線状の継ぎ目部分で送り状が破れ難くなる。
【発明を実施するための最良の形態】
【００１６】
以下、本発明を添付図面に示す実施形態に基いて説明する。
【００１７】
添付図面には運搬用容器６として折り畳みコンテナの例が示してある。折り畳みコンテナは合成樹脂により形成した矩形状の底板１５と、底板１５の上方に配置した合成樹脂により形成した矩形枠状の口枠１６と、底板１５の対向する一対の辺と口枠１６の対向する一対の辺との間にそれぞれ配置した折り畳み用側板１７と、底板１５の対向する他の一対の辺と口枠１６の対向する他の一対の辺との間にそれぞれ配置した合成樹脂により形成した起倒用側板１８とを具備している。
【００１８】
起倒用側板１８の上端は口枠１６に軸支部により回動自在に連結してあって、起倒用側板１８が起倒自在となっている。また、折り畳み用側板１７は合成樹脂により形成した上半分の上側板２０と、合成樹脂により形成した下半分の下側板１９とで構成してあり、上側板２０の下端と下側板１９の上端とが中間軸支部２１により回動自在に連結してあって折り畳み用側板１７は上下方向の中間部分で内側に折り畳み自在となっている。この中間部分で折り畳み自在となった折り畳み用側板１７は、上側板２０の上端を口枠１６に回転自在に連結すると共に下側板１９の下端を底板１５に軸支部により回転自在に連結し且つ上側板２０の下端と下側板１９の上端を軸支部により回転自在に連結してある。
【００１９】
このように、底板１５、口枠１６、折り畳み用側板１７、起倒用側板１８を組み合わせることで容器本体１を構成しており、図３に示すように口枠１６に囲まれた部分が容器本体１の開口部２となっている。
【００２０】
口枠１６は矩形状（図に示す実施形態においては長方形状）に形成してあり、口枠１６の対向する一対の辺に開口部２を開閉する合成樹脂製の２枚の蓋半体５が軸支部２２により回動自在に取付けてある。
【００２１】
２枚の蓋半体５の各先端には、それぞれ互いに重複する複数の重ね用突片３と複数の重ね用凹所４とが交互に設けてある。図の実施形態では重ね用突片３の外周縁と重ね用凹所４の内周縁とが曲線波状に連続しているが、角波状であってもよい。また、重ね用突片３と重ね用凹所４を一箇所ずつ形成してもよい。
【００２２】
図４乃至図６に示すように、重ね用突片３の裏面は蓋半体５の他の部位の裏面よりも上方にずれた位置となっていてこの裏面部分が下向き凹みとなっている。
【００２３】
重ね用凹所４の上面は重ね用突片３の下面と同じレベル又は下面よりも若干下方にずれたレベルとなっている。また、重ね用凹所４の下面は蓋半体５の他の部位の下面と同じレベルとなっている。
【００２４】
両蓋半体５を回動して両蓋半体５で開口部２を閉じた場合、図４乃至図６に示すように一方の蓋半体５の重ね用突片３が他方の蓋半体５の重ね用凹所４に重ねると共に他方の蓋半体５の重ね用突片３を一方の蓋半体５の重ね用凹所４に重ねるようになっており、しかも、一方の蓋半体５の先端に上方から荷重がかかった場合、一方の蓋半体５の重ね用突片３からの荷重を他方の蓋半体５の重ね用凹所４で支持し、他方の蓋半体５の重ね用突片３からの荷重を一方の蓋半体５の重ね用凹所４で支持するというように、複数の重ね用突片３と複数の重ね用凹所４とが交互に噛み合ったようになり、蓋半体５の先端が下方に撓むのを相互に抑制しあっている。
【００２５】
上記重ね用突片３の周縁と重ね用凹所４の周縁とが合さることで非直線状の（実施形態では波状をした）継ぎ目８が形成してある。
【００２６】
両蓋半体５の先端部の上面部にはそれぞれ片側凹部７ａが形成してあり、容器本体１の開口部２を上記のように両蓋半体５で閉じた状態で、両蓋半体５の上面部の先端部に設けた上記片側凹部７ａの先端部同士が連続して両蓋半体５にわたって連続する送り状貼り用の凹部７を形成してある。両片側凹部７ａが連通することで形成される送り状貼り用の凹部７の底には、重ね用突片３の周縁と重ね用凹所４の周縁とが合さることでできる非直線状の継ぎ目８（すなわち両片側凹部７ａの端縁が合わさることでできる継ぎ目８）の一部が送り状貼り用の凹部７の底を横切っている。
【００２７】
重ね用突片３の裏面には突条部９が突設してあって蓋半体５の先端部から部分的に突出している厚みが薄い（蓋半体５の他の部分よりも厚みが薄い）重ね用突片３の補強をしている。また、この重ね用突片３の裏面には重ね用突片３の突出基部から突条部９にかけてリブ１１が一体に形成してあって、補強してあり、突条部９はリブ１１よりも重ね用突片３の裏面からの突出長さが長い。
【００２８】
重ね用凹所４には上下に貫通する嵌め込み孔１０が形成してあり、重ね用突片３を重ね用凹所４に嵌め込んだ状態で突条部９を嵌め込み孔１０に嵌め込み、重ね用突片３と重ね用凹所４との重ね合わせの位置決め、重ね合わせ状態の保持をしている。
【００２９】
上記のように、重ね用凹所４に上下に貫通する嵌め込み孔１０を形成し、重ね用突片３を重ね用凹所４に嵌め込んだ状態で突条部９を嵌め込み孔１０に嵌め込むことで、突条部９の突出分を重ね用凹所４の厚み内で吸収することができる。したがって、重ね用凹所４を蓋半体５の下面側に突出させなくても（つまり蓋半体５の厚みを厚くしなくても）、重ね用突片３の下面に突設した突条部９の突出分を重ね用凹所４の厚み内で吸収し、これにより重ね用突片３、重ね用凹所４の厚みを確保しながら、重ね用凹所４を蓋半体５の下面より突出しなくても、両蓋半体５の上面部の先端部に送り状貼り用の凹部７を形成することが可能となる。
【００３０】
このように、重ね用凹所４を蓋半体５の下面より突出しなくてもよいので、容器本体１内に収納した収納物が蓋半体５の下面から部分的に重ね用凹所４が突出することにより、この突出した部分の下面に収納物が引っ掛かったり、あるいは収納物を傷付けたりするといった恐れがない。送り状貼り用の凹部７を形成しない一般品と有効内寸が変わらないので、一般品を使用している所に送り状貼り用の凹部７を形成した製品と混在させても、内容物の量を気にすることなく使用することができる。
【００３１】
上記構成の運搬用容器６である折り畳みコンテナを図３に示すように箱形状に組み立てるに当っては、まず、両折り畳み用側板１７を上側板２０と下側板１９とが上下方向に連続する起立姿勢にする操作を行い、これに続いて両起倒用側板１８を回動して起立させる操作を行い、両起倒用側板１８を起立姿勢とすることで、両折り畳み用側板１７の両端部の内面間にそれぞれ起倒用側板１８が起立して両起倒用側板１８の両側端面が両折り畳み用側板１７の両端部の内面に当接して折り畳み用側板１７が内側に折れないようにし、更に、両起倒用側板１８を起立姿勢にした状態で、両起倒用側板１８の側端部に設けた側端係止部（図示せず）と両折り畳み用側板１７の側端部に設けた側端被係止部（図示せず）とを着脱自在に係止し、また、起倒用側板１８の下端部に設けた下端係止部（図示せず）と底板１５に設けた下端被係止部（図示せず）とを着脱自在に係止することで起倒用側板１８の起立状態を保持すると共に、折り畳み用側板１７が外側に折れないように起倒用側板１８に連結する。
【００３２】
このようにして箱形状に組み立てた折り畳みコンテナ内に収納物を収納し、その後、図１のように両蓋半体を回動して開口部２を閉塞する。両蓋半体５で開口部２を閉じ、その後、図２のように両蓋半体５の上面にわたって形成された送り状貼り用の凹部７の底に送り状１２を両片側凹部７ａに跨るように貼り付ける。送り状１２は複数枚重なって１セットとなっているのが一般的なので、送り状貼り用の凹部７の深さは複数枚で１セットとなった送り状１２の厚みと略同じ又はやや深いのが好ましく、この場合は、送り状１２が送り状用の凹部７の上端から上方に飛び出さないようにできる。
【００３３】
送り状１２を貼る際に蓋半体５の先端部に上から押圧力が作用するが、上記のように複数の重ね用突片３と複数の重ね用凹所４とが交互に噛み合ったようになり、蓋半体５の先端が下方に撓むのを相互に抑制しているので、蓋半体５の先端が下方に撓んで変形し難く、簡単且つ正確に送り状１２を貼ることができる。また、送り状用の凹部７に貼るので、正確な位置に貼ることができる。
【００３４】
上記の状態で収納物を収納した運搬用容器６を保管したり、搬送したりするのであるが、保管、運搬に当って運搬用容器６を段積みしても、上段の運搬用容器６の下面で下段の運搬用容器６の蓋１３に貼った送り状１２が剥がれることがない。
【００３５】
また、保管、運搬中に誰かが故意に蓋半体５を開いて収納物を盗んだり、あるいは異物を混入しようとしても、送り状１２を破るか、剥がすかしなければ、収納物を盗んだり、異物を混入することはできない。ところが、送り状１２を破ると一見して改ざんされたことが分かり、また、送り状１２を剥がして収納物を盗んだり、異物を混入しても、いったん剥がした送り状１２を元のように綺麗に貼ることは不可能で、貼ることができたとしても、送り状１２に皺がよった状態でしか貼ることができず、これも直ぐに改ざんが分かってしまうものであり、改ざん抑制効果がある。
【００３６】
また、蓋１３の上に荷物が落ちることや多段積みの時の上段の運搬用容器６の底面が蓋１３の中央に仮置きされた時などに、蓋が下方に押される力が作用しても、継ぎ目８が非直線状であるため、送り状１２の下面の上記継ぎ目８と対向する非接着部分が非直線状となり、この結果、両蓋半体５に互いに離れる方向の力が作用しても送り状１２の継ぎ目８と対向した部分で送り状１２が破れ難くなる。つまり、送り状１２は両側から引っ張り力が作用すると、中央部で引っ張り方向と直交する直線状には裂け易いが、波状のように非直線状には裂け難い。
【００３７】
また、両蓋半体５の上面部の先端部に両蓋半体５にわたって連続するように形成した送り状貼り用の凹部７に送り状１２を貼ることができるので、蓋１３の中央部に貼るため送り状が視認し易く、しかも、運搬用容器６を多段積みしても上段の運搬用容器６の下面で下段の運搬用容器６の蓋１３に貼った送り状１２が剥がれることがなく、この点でも改ざん抑制効果をより確実なものとする。
【００３８】
更に、本発明のように、両蓋半体５の上面部の先端部に両蓋半体５にわたって連続するように送り状貼り用の凹部７を形成するものにおいては、蓋半体５のみで単独で形成する場合に比べ、送り状貼り用の凹部７の横巾を広く取ることが可能で、巾の広い送り状１２であっても貼ることができる。
【００３９】
なお、本発明において送り状１２の概念には、改ざん抑制用のシール、あるいは収納物表示用のシール等の運搬用容器６に貼る種々の貼り物も含むものとする。
【００４０】
なお、必要に応じて図１に示すように蓋半体５にロック部材２５を設けて、両蓋半体５で開口部２を閉じた状態で蓋半体５を蓋ロック部材２５で口枠１６にロックしたり、あるいは、結束バンドで結束したりすることもできる。
【００４１】
目的の所に運搬用容器６を運搬すると、目的の所で、受け取り人が両蓋半体５よりなる蓋１３の中央部に貼ってある送り状１２を目視して確認することで、受け取り、受け取り人が送り状１２を剥がすことで、両蓋半体５を開いて収納物を取り出すことができる。
【００４２】
空になった運搬用容器６は、蓋半体５を開き、次に、両起倒用側板１８を外側から押して回動することで横向きに倒し、その後、両折り畳み用側板１７を内側に折り畳み、その後、蓋半体５を回動し口枠１６の上開口を閉じることで図７のように折り畳むことができる。
【００４３】
上記実施形態では運搬用容器６として折り畳みコンテナの例を示したが、必ずしも折り畳みコンテナに限定されるものではなく、折り畳むことができない蓋付きの容器であってもよい。
【図面の簡単な説明】
【００４４】
【図１】本発明の一実施形態の両蓋半体で開口部を閉じた状態の斜視図である。
【図２】同上の送り状を貼った状態を示す斜視図である。
【図３】同上の両蓋半体を開いた状態の斜視図である。
【図４】同上の重ね用突片と重ね用凹所との重ね合わせ部分の一部破断した斜視図である。
【図５】図１のＸ−Ｘ線の断面図である。
【図６】図１のＹ−Ｙ線の断面図である。
【図７】同上の折り畳み状態の斜視図である。
【符号の説明】
【００４５】
１  容器本体
２  開口部
３  重ね用突片
４  重ね用凹所
５  蓋半体
６  運搬用容器
７  凹部
８  継ぎ目
９  突条部
１０  嵌め込み孔
【図１】
0005265945.tif 000002
【図２】
0005265945.tif 000003
【図３】
0005265945.tif 000004
【図４】
0005265945.tif 000005
【図５】
0005265945.tif 000006
【図６】
0005265945.tif 000007
【図７】
0005265945.tif 000008